(57)【要約】【課題】ライブビュー表示の品位を低下させることなく、低輝度の被写体に対応することができるライブビュー表示機能を有するカメラを提供することである。【解決手段】ライブビュー表示機能を有するカメラは、被写体が低輝度の場合に、複数画素の電荷を加算して出力可能な撮像素子を含むライブビュー表示用ＣＣＤ５１と、画像表示用の液晶モニタ２６を含む。そして、ライブビュー表示用ＣＣＤ５１から出力された画像データは、所定の表示形態にて液晶モニタ２６上に表示される。また、ライブビュー表示用ＣＣＤ５１は、液晶モニタ２６に於ける表示形態に応じて上記ライブビュー表示用ＣＣＤ５１の画素加算数の上限値を制限する。【選択図】      図３
2007060131.tif 000002
【特許請求の範囲】
【請求項１】
ライブビュー表示機能を有するカメラに於いて、
被写体が低輝度の場合に、複数画素の電荷を加算して出力可能な撮像素子を含む撮像手段と、
画像表示用モニタを含み、上記ライブビュー表示を行う際には上記撮像手段から出力された画像データを所定の表示形態にて上記画像表示用モニタ上に表示する表示手段と、
を具備し、
上記撮像手段は、上記表示手段に於ける表示形態に応じて上記撮像素子の画素加算数の上限値を制限することを特徴とするライブビュー表示機能を有するカメラ。
【請求項２】
上記表示手段は、上記画像データを第１の表示サイズで表示する第１の表示形態と、上記第１の表示サイズよりも小さい第２の表示サイズで表示する第２の表示形態とを設定可能であり、上記撮像手段は、上記第１の表示形態が設定された場合の加算画素数の上限値を上記第２の表示形態が設定された場合よりも小さくしたことを特徴とする請求項１に記載のライブビュー表示機能を有するカメラ。
【請求項３】
被写体光束を観察光路側に導く光学素子と、
上記観察光路内に配置されたスクリーンマットと、
複数画素の電荷を加算して出力可能な撮像素子を含み、上記スクリーンマット上に結像した画像を撮像する撮像手段と、
画像表示用モニタを含み、上記撮像手段から出力された画像データを所定のサイズで上記画像表示用モニタに表示する表示手段と、
を具備し、
上記撮像手段は、上記表示手段に於ける表示サイズに応じて上記撮像素子の画素加算数の上限値を制限することを特徴とするライブビュー表示機能を有するカメラ。
【請求項４】
上記表示手段は、上記画像データを第１の表示サイズ、及び該第１の表示サイズよりも小さい第２の表示サイズで表示可能であり、上記撮像手段は、上記第１の表示サイズが設定された場合の加算画素数の上限値を上記第２の表示サイズが設定された場合よりも小さくしたことを特徴とする請求項３に記載のライブビュー表示機能を有するカメラ。
【請求項５】
ライブビュー表示機能を有するカメラに於いて、
被写体が低輝度の場合に、複数画素の電荷を加算して出力可能な撮像素子を含む撮像手段と、
上記撮像手段から出力された画像データを表示する表示手段と、
上記撮像手段から出力された画像データを所定の表示形態にて上記表示手段に表示させるもので、該表示手段に於ける表示形態に応じて上記撮像素子の画素加算数の上限値を制限する制御手段と、
を具備することを特徴とするライブビュー表示機能を有するカメラ。
【請求項６】
上記表示手段は、上記画像データを第１の表示サイズで表示する第１の表示形態と、上記第１の表示サイズよりも小さい第２の表示サイズで表示する第２の表示形態とを設定可能であり、上記撮像手段は、上記第１の表示形態が設定された場合の加算画素数の上限値を上記第２の表示形態が設定された場合よりも小さくしたことを特徴とする請求項５に記載のライブビュー表示機能を有するカメラ。
【請求項７】
上記制御手段は、上記表示手段に於ける表示形態に応じて上記撮像素子から出力された画像データのフレームレートの上限値を制御することを特徴とする請求項５に記載のライブビュー表示機能を有するカメラ。
【請求項８】
被写体光束を観察光路側に導く光学素子と、
上記観察光路内に配置されたスクリーンマットと、
複数画素の電荷を加算して出力可能な撮像素子を含み、上記スクリーンマット上に結像した画像を撮像する撮像手段と、
上記撮像手段から出力された画像データを所定のサイズで表示する表示手段と、
上記表示手段に於ける表示サイズに応じて、上記撮像手段から出力された画像データに基づく表示画像を制御する制御手段と、
を具備し、
上記制御手段は、上記表示手段に於ける表示サイズに応じて上記撮像素子の画素加算数の上限値を制限することを特徴とするライブビュー表示機能を有するカメラ。
【請求項９】
上記表示手段は、上記画像データを第１の表示サイズ、及び該第１の表示サイズよりも小さい第２の表示サイズで表示可能であり、上記撮像手段は、上記第１の表示サイズが設定された場合の加算画素数の上限値を上記第２の表示サイズが設定された場合よりも小さくしたことを特徴とする請求項８に記載のライブビュー表示機能を有するカメラ。
【請求項１０】
上記制御手段は、上記表示手段に於ける表示形態に応じて上記撮像素子から出力された画像データのフレームレートの上限値を制御することを特徴とする請求項８に記載のライブビュー表示機能を有するカメラ。
【発明の詳細な説明】
【技術分野】
【０００１】
本発明は、ＣＣＤ等の撮像素子で被写体を連続的に撮像して表示装置に表示する、いわゆるライブビュー表示機能を有するカメラに関するものである。
【背景技術】
【０００２】
従来より、ライブビュー表示機能を有するカメラは種々提案されている。例えば、下記特許文献１に於いては、一眼レフレックスカメラ（以下、一眼レフカメラと略記する）の観察光路内にハーフミラーを配置し、このハーフミラーで分割された一方の光束を撮像素子で受光してライブビュー表示を行うようにしたデジタル一眼レフカメラが開示されている。
【０００３】
ところで、ライブビュー表示を実現する際に、観察光路や撮影光路内にハーフミラーを配置した場合、ライブビュー表示用の撮像素子に到達する光量は、ハーフミラーの透過率、または反射率に応じて減少するため、対称となる被写体が低輝度の場合にはライブビュー表示が不鮮明になるという問題がある。
【０００４】
そこで、このような場合には、例えば、下記特許文献２や特許文献３に開示されているように、隣接する複数の画素を加算して撮像素子の感度を向上させる方法が有効である。
【特許文献１】特開２０００−１６５７３０号公報
【特許文献２】特開２００１−２８５６４８号公報
【特許文献３】特開２００５−０４４９１５号公報
【発明の開示】
【発明が解決しようとする課題】
【０００５】
しかしながら、上述した特許文献１に開示されたライブビュー表示機能を有する一眼レフカメラに特許文献２及び３に開示されているような画素加算技術を適用すると、撮像素子の見かけ上の撮像画素数が減少することになるので、加算画素数を増やし過ぎると表示画像が粗くなる等、ライブビュー表示の品位が低下する虞れがあった。
【０００６】
したがって、本発明は上記課題に鑑みてなされたものであり、その目的は、ライブビュー表示の品位を低下させることなく、低輝度の被写体に対応することができるライブビュー表示機能を有するカメラを提供することである。
【課題を解決するための手段】
【０００７】
すなわち請求項１に記載の発明は、ライブビュー表示機能を有するカメラに於いて、被写体が低輝度の場合に、複数画素の電荷を加算して出力可能な撮像素子を含む撮像手段と、画像表示用モニタを含み、上記ライブビュー表示を行う際には上記撮像手段から出力された画像データを所定の表示形態にて上記画像表示用モニタ上に表示する表示手段と、を具備し、上記撮像手段は、上記表示手段に於ける表示形態に応じて上記撮像素子の画素加算数の上限値を制限することを特徴とする。
【０００８】
請求項２に記載の発明は、請求項１に記載の発明に於いて、上記表示手段は、上記画像データを第１の表示サイズで表示する第１の表示形態と、上記第１の表示サイズよりも小さい第２の表示サイズで表示する第２の表示形態とを設定可能であり、上記撮像手段は、上記第１の表示形態が設定された場合の加算画素数の上限値を上記第２の表示形態が設定された場合よりも小さくしたことを特徴とする。
【０００９】
請求項３に記載の発明は、被写体光束を観察光路側に導く光学素子と、上記観察光路内に配置されたスクリーンマットと、複数画素の電荷を加算して出力可能な撮像素子を含み、上記スクリーンマット上に結像した画像を撮像する撮像手段と、画像表示用モニタを含み、上記撮像手段から出力された画像データを所定のサイズで上記画像表示用モニタに表示する表示手段と、を具備し、上記撮像手段は、上記表示手段に於ける表示サイズに応じて上記撮像素子の画素加算数の上限値を制限することを特徴とする。
【００１０】
請求項４に記載の発明は、請求項３に記載の発明に於いて、上記表示手段は、上記画像データを第１の表示サイズ、及び該第１の表示サイズよりも小さい第２の表示サイズで表示可能であり、上記撮像手段は、上記第１の表示サイズが設定された場合の加算画素数の上限値を上記第２の表示サイズが設定された場合よりも小さくしたことを特徴とする。
【００１１】
請求項５に記載の発明は、ライブビュー表示機能を有するカメラに於いて、被写体が低輝度の場合に、複数画素の電荷を加算して出力可能な撮像素子を含む撮像手段と、上記撮像手段から出力された画像データを表示する表示手段と、上記撮像手段から出力された画像データを所定の表示形態にて上記表示手段に表示させるもので、該表示手段に於ける表示形態に応じて上記撮像素子の画素加算数の上限値を制限する制御手段と、を具備することを特徴とする。
【００１２】
請求項６に記載の発明は、請求項５に記載の発明に於いて、上記表示手段は、上記画像データを第１の表示サイズで表示する第１の表示形態と、上記第１の表示サイズよりも小さい第２の表示サイズで表示する第２の表示形態とを設定可能であり、上記撮像手段は、上記第１の表示形態が設定された場合の加算画素数の上限値を上記第２の表示形態が設定された場合よりも小さくしたことを特徴とする。
【００１３】
請求項７に記載の発明は、請求項５に記載の発明に於いて、上記制御手段は、上記表示手段に於ける表示形態に応じて上記撮像素子から出力された画像データのフレームレートの上限値を制御することを特徴とする。
【００１４】
請求項８に記載の発明は、被写体光束を観察光路側に導く光学素子と、上記観察光路内に配置されたスクリーンマットと、複数画素の電荷を加算して出力可能な撮像素子を含み、上記スクリーンマット上に結像した画像を撮像する撮像手段と、上記撮像手段から出力された画像データを所定のサイズで表示する表示手段と、上記表示手段に於ける表示サイズに応じて、上記撮像手段から出力された画像データに基づく表示画像を制御する制御手段と、を具備し、上記制御手段は、上記表示手段に於ける表示サイズに応じて上記撮像素子の画素加算数の上限値を制限することを特徴とする。
【００１５】
請求項９に記載の発明は、請求項８に記載の発明に於いて、上記表示手段は、上記画像データを第１の表示サイズ、及び該第１の表示サイズよりも小さい第２の表示サイズで表示可能であり、上記撮像手段は、上記第１の表示サイズが設定された場合の加算画素数の上限値を上記第２の表示サイズが設定された場合よりも小さくしたことを特徴とする。
【００１６】
請求項１０に記載の発明は、請求項８に記載の発明に於いて、上記制御手段は、上記表示手段に於ける表示形態に応じて上記撮像素子から出力された画像データのフレームレートの上限値を制御することを特徴とする。
【発明の効果】
【００１７】
本発明によれば、ライブビュー表示の品位を低下させることなく、低輝度の被写体に対応することができるライブビュー表示機能を有するカメラを提供することができる。
【発明を実施するための最良の形態】
【００１８】
以下、図面を参照して、本発明の実施形態を説明する。
【００１９】
図１は、本発明の一実施形態を示すもので、一眼レフレックスタイプのデジタルカメラの構成を示す外観斜視図である。
【００２０】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。  
カメラ本体２０の上面には、レリーズ釦２１と、モードダイヤル２２と、パワースイッチレバー２３と、コントロールダイヤル２４等が設けられている。
【００２１】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２２】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２３】
コントロールダイヤル２４は、撮影情報の設定を行うための部材である。このコントロールダイヤル２４が操作されることにより、撮影時に種々の設定が行われる。
【００２４】
ボディユニット２０の背面部には、撮影画像やメニュー等を表示するための表示手段を構成する液晶モニタ２６と、再生釦２７と、メニュー釦２８と、十字キー３０と、ＯＫ釦３１と、接眼光学系のファインダ３３等が配置されている。
【００２５】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。例えば、後述するＡＦ／ＡＥセンサの出力に応じて撮影レンズを駆動するＡＦモードと、撮影者の手動操作に応じて撮影レンズを駆動するＭＦモードの切り替えについても、このメニュー項目に含まれている。
【００２６】
図２は、本発明の一実施形態に於けるカメラのファインダ光学系の構成を示す斜視図である。
【００２７】
ファインダ光学系４０は、レンズ鏡筒内の撮影レンズ１１を通過した被写体からの光束を、上記ファインダ３３を構成する接眼レンズ４７へと導くための複数のミラー、すなわち、光学素子である第１反射ミラー４１、第２反射ミラー４２、第３反射ミラー４３、第４反射ミラー４４と、スクリーンマット４６と、接眼レンズ４７とを有して構成される。
【００２８】
上記第１反射ミラー４１は軸４１ａを中心に図示矢印Ａ方向に回動可能に構成されるもので、その一部が図示されないＡＦセンサのためにハーフミラーで構成されている。第１反射ミラー４１は、被写体の観察時は図示の如く、撮影レンズ１１から入射された光束を、撮影レンズ１１の光軸に対し略９０°の角度である第２反射ミラー４２の方向、すなわちカメラ本体２０のレンズ鏡筒１０側より見て右方向に反射する。そして、撮像時は、撮影光路より退避されて、被写体からの光束が、第１反射ミラー４１の後方に配置される撮像素子（図示せず）に導かれるように動作する。
【００２９】
上記第１反射ミラー４１の反射面で反射された光束は、スクリーンマット４６を介して第２反射ミラー４２に入射する。この第２反射ミラー４２は、上記第１反射ミラー４１からの反射光軸上であって、その反射面が上記第１反射ミラー４１の反射光軸に対し、所定の角度だけ傾いて配置されている。第２反射ミラー４２に入射された上記第１反射ミラー４１からの反射光束は、該第１反射ミラー４１からの反射光軸に対し略９０°の角度、すなわちカメラ本体２０の上方に向けて反射される。
【００３０】
上記第２反射ミラー４２の反射面で反射された光束は、該第２反射ミラー４２の反射面の反射光軸上であって、その反射面が第２の反射面の反射光軸に対し所定の角度だけ傾いて配置される第３反射ミラー４３に入射される。第３反射ミラー４３に入射された第２反射ミラー４２からの反射光束は、第３反射ミラー４３の反射面にて、上記第２反射ミラー４２の反射面からの反射光軸に対し略９０°の角度であって、上記第１反射ミラー４１の反射面による反射方向と相反する方向に反射される。つまり、第２反射ミラー４２の反射面からの反射光束は、第３反射ミラー４３の反射面にて、カメラ本体２０の左方向に向けて反射される。換言すれば、第１反射ミラー４１の反射面にて反射された光束は、第２、第３反射ミラー４２、４３によって折り返すように導かれ、第３反射ミラー４３の反射面の反射光軸は、上記第１反射ミラー４１の反射面の反射光軸と略平行となって第４反射ミラー４４に向かう。
【００３１】
上記第３反射ミラー４３の反射面で反射された光束は、該第３反射ミラー４３の反射面の反射光軸上であって、その反射面が上記第３反射ミラー４３の反射面の反射光軸に対し所定の角度だけ傾いて配置される第４反射ミラー４４に入射される。そして、第４反射ミラー４４に入射された上記第３反射ミラー４３からの反射光束は、第４反射ミラー４４の反射面にて、上記第３反射ミラー４３からの反射光軸に対し略９０°の角度に反射される。つまり、第３反射ミラー４３の反射面からの反射光束は、第４反射ミラー４４の反射面の反射光軸上に配置された接眼レンズ４７に入射される。
【００３２】
上記スクリーンマット４６は、上述したファインダ光学系４０に入射された光束を光学像として結像させるために、該光束を拡散させる拡散面を有するもので、後述する撮影用撮像素子６５の撮像面上と光学的に等価な位置に配置されている。
【００３３】
また、上記第２反射ミラー４２と第４反射ミラー４４は、ハーフミラーで構成されている。第２反射ミラー４２の反射面の裏面側には、被写体の明るさを測定する測光センサ５３が配置されている。一方、第４反射ミラー４４の反射面の裏面側には、結像レンズ５０及び撮像手段であるライブビュー表示用撮像素子５１が配設されている。このライブビュー表示用撮像素子５１は、スクリーンマット４６上の像を、結像レンズ５０を介して結像するためのものである。したがって、ライブビュー表示用撮像素子５１に結像された像は反転しているものの、撮影者の目４８が見ている像と同じものとなる。
【００３４】
このように、撮影レンズ１１からの被写体光束は、上述した第１乃至第４反射ミラー４１〜４４によって、その像が正立正像となるように反転されて接眼レンズ４７に導かれる。これにより、接眼レンズ４７（ファインダ３３）を通して、撮影者の眼４８でスクリーンマット４６上に結像した被写体像が観察可能となる。
【００３５】
また、本実施形態に於いて上記ファインダ光学系４０の各光学素子の透過率、反射率等は、以下の通りである。すなわち、撮影レンズ１１の透過率を１００％、第１反射ミラー４１の反射率を７０％、同透過率を３０％、スクリーンマット４６の透過率を９５％、第２反射ミラー４２の反射率を８２％、同透過率を１８％、第３反射ミラー４３の反射率を９９％、第４反射ミラー４４の反射率を７５％、同透過率を２５％とする。したがって、ライブビュー表示用ＣＣＤ５１に入射する光量は、後述する撮影用撮像素子６５に入射する光量の１４％、すなわち約３ｅｖ低い光量となる。つまり、撮影用撮像素子６５への本露光に対してライブビュー表示用撮像素子５１への露光は３ｅｖ低いものとなるが、この３ｅｖ不足する光量は、最終的には後述する画素加算を行うことで補うことができる。
【００３６】
尚、本実施形態では、第１反射ミラー４１、第２反射ミラー４２、第３反射ミラー４３及び第４反射ミラー４４は、入射光束に対して略９０°の角度で反射するように配置しているが、これに限られるものではない。
【００３７】
図３は、本発明の一実施形態に係るカメラの概略的なシステム構成を示すブロック図である。
【００３８】
図３に於いて、被写体５からの光束は、レンズ鏡筒１０内の撮影レンズ１１を介して、上記カメラ本体２０内の第１反射ミラー４１に導かれる。そして、この第１反射ミラー４１で、図３に於いて上方に反射された光束は、ファインダ光学系４０に入射される。上述したように、このファインダ光学系４０に入射された光束は、第４反射ミラー４４で一部が反射されて接眼レンズ４７に導かれて、撮影者の目４８によって視認される。また、第４反射ミラー４４に入射された光束のうち反射されずに透過された光束は、ライブビュー表示用撮像素子（ライブビュー表示用ＣＣＤ）５１の撮像面上に結像される。このライブビュー表示用ＣＣＤ５１で電気信号に変換されて生成された画像信号は、アナログフロントエンド部（ＡＦＥ）６１を介して切り替え部６７に出力される。
【００３９】
上記ＡＦＥ６１は、ライブビュー表示用ＣＣＤ５１のデータのばらつきの調整等を行うと共に該ＣＣＤに対して撮像タイミングを供給するためのものである。そして、このＡＦＥ６１は、後述するＡＳＩＣ７０の制御によって、ライブビュー表示用ＣＣＤ５１から得られた画像データを切り替え部６７に出力する。尚、後述するＡＦＥ６６の構成、機能も、ＡＦＥ６１と同様である。
【００４０】
上記第１反射ミラー４１に入射されてハーフミラーの部分を透過した光束は、撮影レンズ１１の光軸上で該第１反射ミラー４１の後方（図３に於いて右側）に設けられているサブミラー６３によって反射され、ＡＦ／ＡＥセンサユニット６４に導かれる。このＡＦ／ＡＥセンサユニット６４は、ＡＦセンサ（図示せず）及び測光センサ６３を有して構成されるもので、カメラの自動測距及び測光を行うためのものである。
【００４１】
第１反射ミラー４１は、被写体の観察時は図示されるように撮影光路内に位置しているが、撮影時は軸４１ａを中心に上方に回転して、図示されないが撮影光路より退避した位置に移動する。このとき、サブミラー６３は、第１反射ミラー４１と共に所定の退避位置に移動する。すなわち、撮影時は、第１反射ミラー４１及びサブミラー６３が退避位置にあるので、撮影レンズ１１を通った被写体５からの光束は、撮影用撮像素子（メイン（Ｍａｉｎ）ＣＣＤ）６５の撮像面上に結像される。そして、このメインＣＣＤ６５で電気信号に変換されて生成された画像信号は、アナログフロントエンド部（ＡＦＥ）６６を介して切り替え部６７に出力される。
【００４２】
切り替え部６７は、上記ＡＦＥ６１及びＡＦＥ６６からの出力を切り替えて、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）７０に供給する。このＡＳＩＣ７０は、制御手段としての機能と周辺回路の制御部としての機能を併せ持つものである。この場合、ＡＳＩＣ７０は、撮影レンズ１１、第１反射ミラー４１、サブミラー６３、ＡＦ／ＡＥセンサユニット６４、ＡＦＥ６１及び６６、切り替え部６７、フラッシュメモリ（Ｆｌａｓｈ  Ｍｅｍｏｒｙ）７１、ＵＳＢ７２、ＴＦＴ液晶ドライバ７３、ＳＤＲＡＭ７５、記録用メディア（Ｍｅｄｉａ）７６等の制御を司るものである。
【００４３】
ＡＳＩＣ７０には、上述した撮影レンズ１１、第１反射ミラー４１、ＡＦ／ＡＥセンサユニット６４、ＡＦＥ６１及び６６、切り替え部６７、フラッシュメモリ７１、ＵＳＢ７２、ＴＦＴ液晶ドライバ７３を介して液晶モニタ（ＴＦＴ）２６、ＳＤＲＡＭ７５、記録用メディア（Ｍｅｄｉａ）７６の他、スイッチ（ＳＷ）部７７等が接続されている。
【００４４】
上記撮影レンズ１１は、ＡＦ／ＡＥセンサユニット６４で得られた結果からＡＳＩＣ７０内で演算された駆動量に基づいて、光軸方向に移動される。また、第１反射ミラー４１及びサブミラー６３は、ＡＳＩＣ７０の制御によって、所定のタイミングで観察位置、退避位置に移動されるようになっている。
【００４５】
上記フラッシュメモリ７１、ＳＤＲＡＭ７５及び記録用メディア７６は、このカメラ１の記憶領域として設けられている。例えば、フラッシュメモリ７１には、カメラを動作させるためのコードや、メニュー設定、調整データ等が記憶されている。また、ＳＤＲＡＭ７５は、画像データの処理や一時保管用のバッファとして使用される。更に、記録用メディア７６は、図示されないカメラのインターフェイスを介してカメラ本体２０に対して脱着可能な各種のメモリカードや外付けのハードディスクドライブ（ＨＤＤ）等の外部記録媒体である。
【００４６】
上記ＵＳＢ７２は、プリンタ等の外部機器と接続するためのインターフェイスである。ＴＦＴ液晶ドライバ７３は、液晶モニタ２６を駆動するためのものであり、ＡＳＩＣ７０の制御に従って、指定されたデータや画像を液晶モニタ２６に表示させる。
【００４７】
上記スイッチ部７７は、上述したレリーズ釦２１やメニュー釦２８、ＯＫ釦３１等の各種釦やスイッチから成っている。
【００４８】
図４は、液晶モニタ２６に露出情報のみが表示された際の表示例を示した図である。
【００４９】
図４に於いて、８１は電池残量を表すマーク、８２は露出モードを表すマーク、８３はシャッタ速度を表すマーク、８４は絞り値を表すマーク、８５は露出補正値を表すマーク、８６はノイズリダクション（ノイズ除去）を表すマーク、８７はＡＥロックを表すマーク、８８は測光モードを表すマーク、８９は露出補正インジケータ及び露出レベルインジケータを表すマークである。また、９１はフラッシュモード等を表すマーク、９２はＡＦフレームを表すマーク、９３はドライブモード等を表すマーク、９４は画質モード等を表すマーク、９５はＩＳＯ感度を表すマーク、９６はホワイトバランスを表すマーク、９７はカラー設定等を表すマーク、そして９８は残り撮影枚数を表すマークである。
【００５０】
図５は、ライブビューモードでの液晶モニタ２６の表示画面の例を示した図である。
【００５１】
図５（ａ）はオートフォーカス（ＡＦモード）時の表示状態であり、液晶モニタ２６に表示される画像１００は、メインＣＣＤ６５によって取り込まれた画像１０１と、種々の撮影情報１０２によって構成される。そして、上記画像１０１の略中央部には、スクリーンマット４６上の、ＡＦ測距を行う際に使用されるＡＦフレームに対応したマーク１０６が表示されている。
【００５２】
この場合、液晶モニタ２６は１２万画素での表示が可能であるが、表示された画像１０１の画素数は１０万画素であり、画素加算は１、２、４及び９画素について行うことが可能である。また、この状態でのフレームレートは１／３０ｓｅｃ．（３０フレーム／ｓｅｃ．）、１／２０ｓｅｃ．、１／１５ｓｅｃ．について変更が可能である。上記画素加算は、基準となる画像が暗い場合に加算する画素の数を増加させる。同様に、フレームレートは、基準となる画像が暗い場合にレートを下げるようにする。但し、画素加算を行うと感度は上昇するが画像は粗くなる。また、フレームレートを下げると画像は明るくなるが実際の撮影画像との間に生じるディレイが大きくなる。したがって、本実施形態では、使用目的に応じて、画素加算とフレームレートを適切な値に設定するようにしている。
【００５３】
画素加算についての詳細は、上述した特許文献２及び３に述べられているが、図６を参照して簡単に説明する。
【００５４】
図６（ａ）は隣接する２画素について加算する場合の画素の例を示した図、図６（ｂ）は隣接する４画素について加算する場合の例を示した図、図６（ｃ）は隣接する９画素について加算する場合の例を示した図、図６（ｄ）は隣接する１６画素について加算する場合の例を示した図である。また、図６（ｅ）は、図６（ａ）に示される２つの画素Ｐ1 、Ｐ2 の成分の例を示した図である。
【００５５】
いま、図６（ｅ）に示されるように、２つの画素Ｐ1 、Ｐ2 の成分をそれぞれＧ11、Ｇ12、Ｒ1 、Ｂ1 、Ｇ21、Ｇ22、Ｒ2 、Ｂ2 とする。すると、２画素加算が行われた後の画素成分は、Ｇ成分がＧ11＋Ｇ12＋Ｇ21＋Ｇ22、Ｒ成分がＲ1 ＋Ｒ2 、そしてＢ成分がＢ1 ＋Ｂ2 で表される。４画素、９画素、１６画素についても同様である。この画素加算は、画像が暗くなると加算数を増加させるようにする。
【００５６】
図５（ｂ）は、マニュアルフォーカス（ＭＦモード）時等のライブビュー画像の例であり、液晶モニタ２６の画面全体に画像が表示されている。マニュアルフォーカスの場合、ピント調節を行うことを目的としているので、画像表示は大きい方が操作しやすいからである。したがって、画素加算は画像が暗くならないように、１、２及び４画素についてのみ可能とし、フレームレートも実際の被写体５の動きに合わせるためにディレイの無いように１／３０ｓｅｃ．のみとしている。
【００５７】
図５（ｃ）は、主な撮影情報を表示しながらライブビュー画像を表示した例である。この場合は、液晶モニタ２６の画面全体に画像が表示されている。そして、画素加算は１、２及び４画素について可能とし、フレームレートは１／３０ｓｅｃ．、１／２０ｓｅｃ．について変更可能としている。
【００５８】
図５（ｄ）は、図５（ｃ）と異なり、実際の画像を小さく表示しながら種々の撮影情報を表示した例である。この場合、撮影情報を見ながら撮影を行うことを目的としているため、画像そのものよりも撮影情報の表示が重要である。したがって、表示画像は画質に拘らないため液晶モニタ２６の１／４である３万画素でよく、画素加算は１、２、４、９及び１６について行うことが可能となっている。また、フレームレートは、１／３０ｓｅｃ．、１／２０ｓｅｃ．、１／１５ｓｅｃ．、１／１０ｓｅｃ．の４段階への変更が可能となっている。
【００５９】
図５（ｅ）は、図５（ａ）または（ｂ）の表示画像に対して４倍のデジタルズームを行った画像の表示例である。この場合、表示画像は１２万画素であるが、デジタルズームを行っているので画像そのものが図５（ａ）、（ｂ）に比べて粗く表示される。したがって、画素加算は１倍、すなわち画素加算は行われない。一方、フレームレートは、画素加算が行われないためにある程度遅くすることが許可される。したがって、１／３０ｓｅｃ．、１／２０ｓｅｃ．、１／１５ｓｅｃ．で変更が可能である。
【００６０】
次に、図７及び図８のフローチャートを参照して、本発明の一実施形態であるカメラのライブビューモードの動作を説明する。尚、このカメラの動作は、主にＡＳＩＣ７０の制御によって行われる。
【００６１】
図示されないカメラのメインルーチンから、モードダイヤル２２によるライブビューモードの設定や、図示されないライブビューモード設定釦の操作等によりこのライブビューモードのルーチンに入ると、先ず、ステップＳ１に於いて、ライブビュー表示用ＣＣＤ５１の電源がオンされる。次いで、ステップＳ２にて、切り替え部６７がライブビュー表示用ＣＣＤ５１側に設定される。更に、ステップＳ３では、ライブビュー表示用ＣＣＤ５１を動作させるためのフレームレートが初期設定される。ここでは、「３０フレーム／ｓｅｃ．」に設定される。そして、ステップＳ４にて、ライブビュー表示の開始が指示される。
【００６２】
次に、ステップＳ５にてモードダイヤル２２の操作が検出される。そして、続くステップＳ６にて、表示モードが設定される。そして、ステップＳ７に於いて、被写界輝度が所定値と比較される。ここで、被写界輝度が所定値であるＬＶ３（ｅｖ）以上であれば（明るい場合）後述するステップＳ１７へ移行し、ＬＶ３より小さければ（暗い場合）ステップＳ８へ移行する。
【００６３】
ステップＳ８では、上記ステップＳ６で設定された表示モードに従って、上述したような画素加算の上限値、フレームレートの上限値、感度の上限値がＡＳＩＣ７０内にて演算される。次いで、ステップＳ９にて、ライブビュー表示用ＣＣＤ５１からの撮像データの読み込みが行われる。そして、ステップＳ１０に於いて、上記ステップＳ９で読み込まれた撮像データから適正露出であるか否かが判定される。ここで、適正露出であれば後述するステップＳ１７へ移行し、そうでなければステップＳ１１へ移行する。
【００６４】
ステップＳ１１では撮像素子、すなわちライブビュー表示用ＣＣＤ５１の感度が検出される。ここで、ライブビュー表示用ＣＣＤ５１の感度が上限値以上であればステップＳ１３に移行する。一方、ライブビュー表示用ＣＣＤ５１の感度が上限に達していない場合は、ステップＳ１２へ移行して感度が上げられた後、上記ステップＳ９へ移行して以降の処理動作が繰り返される。
【００６５】
ステップＳ１３では、ライブビュー表示用ＣＣＤ５１の画素加算が上限まで達したか否かが判定される。その結果、上限に達したならばステップＳ１５へ移行し、そうでなければステップＳ１４へ移行する。ステップＳ１４では、ライブビュー表示用ＣＣＤ５１の画素加算数が増加される。その後、上記ステップＳ９へ移行して以降の処理動作が繰り返される。
【００６６】
ステップＳ１５では、ライブビュー表示用ＣＣＤ５１のフレームレートが判定される。ここで、フレームレートが上限まで達しているならばステップＳ１７へ移行し、そうでなければステップＳ１６へ移行する。尚、ここでは最長の時間を上限とする。ステップＳ１６では、フレームレートが遅く設定される。その後、上記ステップＳ９へ移行して以降の処理動作が繰り返される。
【００６７】
ステップＳ１７に於いては、レリーズ釦２１の第１レリーズスイッチ、すなわち２段式のレリーズスイッチの半押し状態が判定される。ここで、第１レリーズスイッチがオンされなければ、ステップＳ３３に移行して、モード変更がなされたか否かが判定される。その結果、モード変更がなされていなければ上記ステップＳ４に移行して、以降の処理が繰り返される。一方、モード変更がなされた場合、すなわちライブビューモード以外のモードに変更された場合は、ステップＳ３４に移行してライブビュー表示の停止指示がなされる。次いで、ステップＳ３５にてライブビュー表示用ＣＣＤ５１の電源がオフにされると、ステップＳ３６にて切り替え部６７がメインＣＣＤ６５側に切り替えられる。その後、本ルーチンを抜けて、図示されないメインルーチンに復帰する。
【００６８】
上記ステップＳ１７にて第１レリーズスイッチがオンされたならば、ステップＳ１８に移行してメインＣＣＤ６５の電源がオンされる。そして、続くステップＳ１９に於いて、ＡＦ／ＡＥセンサユニット６４及びＡＳＩＣ７０によって、被写体５に対して測光及び露光演算が実行される。続いてステップＳ２０では、ＡＦ／ＡＥセンサユニット６４及びＡＳＩＣ７０によって、測距及び焦点調節が実行される。このように、ステップＳ１９及びＳ２０では、所定の演算処理（ＡＥ、ＡＦ）が実行される。
【００６９】
次いで、ステップＳ２１に於いて、レリーズ釦２１の第２レリーズスイッチ、すなわち２段式のレリーズスイッチの全押し状態が判定される。ここで、第２レリーズスイッチがオンされていなければ、ステップＳ２２に移行して第１レリーズスイッチの状態が判定される。その結果、第１レリーズスイッチがオンされていれば上記ステップＳ２１に移行し、オンされていなければ上記ステップＳ４へ移行して、それぞれ以降の処理動作が行われる。
【００７０】
上記ステップＳ２１にて第２レリーズスイッチがオンされていれば、ステップＳ２３に移行してライブビュー表示の停止が指示された後、ステップＳ２４に移行してライブビュー表示用ＣＣＤ５１の電源がオフにされる。続いて、ステップＳ２５にて、切り替え部６７により、ＣＣＤがメインＣＣＤ６５側に切り替えられる。
【００７１】
その後、ステップＳ２６にて、第１反射ミラー４１が撮影光路内から図示されない退避位置へ移動（ミラーアップ）されるように指示される。次いで、ステップＳ２７にてメインＣＣＤ６５による撮像動作が実行される。撮像動作が終了すると、続くステップＳ２８にて、退避位置に移動されていた第１反射ミラー４１が、再び撮影光路内の観察位置に移動（ミラーダウン）されるように指示される。
【００７２】
ステップＳ２９では、上記ステップＳ２７でメインＣＣＤ６５に取り込まれた画像に対応する画像データを読み出すように指示される。更に、ステップＳ３０にてライブビュー表示用ＣＣＤ５１の電源がオンされる。そして、ステップＳ３１にてメインＣＣＤ６５に取り込まれた画像に対応する画像データの読み出しが完了すると、続くステップＳ３２にて、ＪＰＥＧ圧縮等の所定の画像処理を行った後、上記画像データの記録用メディア７６への書き込み動作が開始されるように指示される。その後、上記ステップＳ２へ移行する。
【００７３】
このように、本実施形態によれば、撮影環境や表示画素に応じて見やすいライブビュー表示画像を提供することができる。
【００７４】
尚、上述した実施形態では、ライブビュー表示用撮像素子及撮影用撮像素子をＣＣＤで構成した例で説明したが、これに限られるものではなく、ＣＭＯＳ等の撮像素子で構成しても良いのは勿論である。
【００７５】
以上、本発明の実施形態について説明したが、本発明は上述した実施形態以外にも、本発明の要旨を逸脱しない範囲で種々の変形実施が可能である。
【図面の簡単な説明】
【００７６】
【図１】本発明の一実施形態を示すもので、一眼レフレックスタイプのデジタルカメラの構成を示す外観斜視図である。
【図２】本発明の一実施形態に於けるカメラのファインダ光学系の構成を示す斜視図である。
【図３】本発明の一実施形態に係るカメラの概略的なシステム構成を示すブロック図である。
【図４】液晶モニタ２６に露出情報のみが表示された際の表示例を示した図である。
【図５】ライブビューモードでの液晶モニタ２６の表示画面の例を示した図である。
【図６】（ａ）は隣接する２画素について加算する場合の画素の例を示した図、（ｂ）は隣接する４画素について加算する場合の例を示した図、（ｃ）は隣接する９画素について加算する場合の例を示した図、（ｄ）は隣接する１６画素について加算する場合の例を示した図、（ｅ）は（ａ）に示される２つの画素Ｐ1 、Ｐ2 の成分の例を示した図である。
【図７】本発明の一実施形態であるカメラのライブビューモードの動作を説明するフローチャートである。
【図８】本発明の一実施形態であるカメラのライブビューモードの動作を説明するフローチャートである。
【符号の説明】
【００７７】
１…カメラ、５…被写体、１０…レンズ鏡筒、１２…撮影レンズ、１３…駆動部、２１…レリーズ釦、２２…モードダイヤル、２６…液晶モニタ、４０…ファインダ光学系、４１…第１反射ミラー、４２…第２反射ミラー、４３…第３反射ミラー、４４…第４反射ミラー、４６…スクリーンマット、４７…接眼レンズ、５０…結像レンズ、５１…ライブビュー表示用撮像素子（ライブビュー表示用ＣＣＤ）、５３…測光センサ、６１、６６…アナログフロントエンド部（ＡＦＥ）、６４…ＡＦ／ＡＥセンサユニット、６５…撮影用撮像素子（メインＣＣＤ）、６７…切り替え部、７０…特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ））、７１…フラッシュメモリ、７２…ＵＳＢ、７３…ＴＦＴ液晶ドライバ、７５…ＳＤＲＡＭ、７６…記録用メディア（Ｍｅｄｉａ）、７７…スイッチ（ＳＷ）部。
【図１】
2007060131.tif 000003
【図２】
2007060131.tif 000004
【図３】
2007060131.tif 000005
【図４】
2007060131.tif 000006
【図５】
2007060131.tif 000007
【図６】
2007060131.tif 000008
【図７】
2007060131.tif 000009
【図８】
2007060131.tif 000010